(57)【要約】【課題】ケーブルの損傷を抑制可能な遊技機の提供を目的とする。【解決手段】本発明に係る遊技機１０は、固定ベース４１に対して移動する可動ベース５１と、固定ベース４１と可動ベース５１に固定される中継基板４４，７４を接続するケーブルＣ１０と、を有する。ケーブルＣ１０は、帯状に形成されて、その厚み方向が可動ベース５１と対向するように配置されている。そして、ケーブルＣ１０には、該ケーブルＣ１０と可動ベース５１の接触を抑制するカバーシートＣ２０が重ねられている。【選択図】図１１
2018201974.tif 000002
【特許請求の範囲】
【請求項１】
支持ベースと、
前記支持ベースに対して移動する可動ベースと、
前記支持ベースと前記可動ベースとに固定される部材同士を電気的に接続するケーブルと、を有する遊技機であって、
前記ケーブルと前記可動ベースとの間に挟まれるカバー部材を有する遊技機。
【発明の詳細な説明】
【技術分野】
【０００１】
本発明は、支持ベースに対して移動する可動ベースを備えた遊技機に関する。
【背景技術】
【０００２】
特許文献１に開示の遊技機では、支持ベースと可動ベースに取り付けられた基板同士がケーブルで接続されている。
【先行技術文献】
【特許文献】
【０００３】
【特許文献１】特開２０１６−１０４１８７（段落［００５８］及び図１１，１２）
【発明の概要】
【発明が解決しようとする課題】
【０００４】
特許文献１の遊技機では、ケーブルが可動ベースに擦れて損傷するという問題が考えられる。
【０００５】
本発明は、上記事情に鑑みてなされたもので、ケーブルの損傷を抑制可能な遊技機の提供を目的とする。
【課題を解決するための手段】
【０００６】
第１の手段は、支持ベースと、前記支持ベースに対して移動する可動ベースと、前記支持ベースと前記可動ベースとに固定される部材同士を電気的に接続するケーブルと、を有する遊技機であって、前記ケーブルと前記可動ベースとの間に挟まれるカバー部材を有する遊技機である。
【発明の効果】
【０００７】
上記発明によれば、ケーブルの損傷を抑制可能となる。
【図面の簡単な説明】
【０００８】
【図１】本発明の一実施形態に係る遊技機の正面図
【図２】遊技盤の正面図
【図３】第１可動部と第２可動部が待機位置に配置された状態の遊技盤の正面図
【図４】可動役物ユニットが取り付けられた機構枠の正面図
【図５】可動役物ユニットの斜視図
【図６】（Ａ）可動ベースが第１回転位置に配置されたときの可動役物ユニットの正面図、（Ｂ）可動ベースが第２回転位置に配置されたときの可動役物ユニットの正面図
【図７】直動駆動機構の概略構成図
【図８】可動演出部の斜視図
【図９】（Ａ）第１透光壁が前側を向くように配置されたブロックの断面図、（Ｂ）第２透光壁が前側を向くように配置されたブロックの断面図
【図１０】遊技機の電気的構成を示すブロック図
【図１１】可動ベースにおける第２中継基板の固定を説明するための図
【図１２】（Ａ）可動ベースが第１回転位置に配置されたときの第１ケーブル固定部と第２ケーブル固定部の配置を示す図、（Ｂ）可動ベースが第２回転位置へ向かう途中の第１ケーブル固定部と第２ケーブル固定部の配置を示す図
【図１３】可動ベースが第２回転位置に配置されたときの第１ケーブル固定部と第２ケーブル固定部の配置を示す図
【図１４】第１可動部の各可動体に備えた第４ケーブル固定部と第３ケーブル固定部の配置を示す図
【図１５】第１可動部の各可動体に備えた第４ケーブル固定部と第３ケーブル固定部の配置を示す図
【図１６】（Ａ）第４ケーブル固定部周辺の断面図、（Ｂ）第２ケーブル押えの斜視図
【図１７】ステージの正面図
【図１８】ステージの平断面図
【図１９】ステージの（Ａ）Ａ−Ａ断面図、（Ｂ）Ｂ−Ｂ断面図
【図２０】他の実施形態に係る第１ケーブル固定部と第２ケーブル固定部の配置を示す図
【図２１】他の実施形態に係る第４ケーブル固定部周辺の断面図
【図２２】他の実施形態に係る球受容部の断面図
【発明を実施するための形態】
【０００９】
図１に示されるように、本実施形態の遊技機１０は、パチンコ遊技機であって、前面枠１０Ｚを前面に備え、その前面枠１０Ｚに形成されたガラス窓１０Ｗを通して、図２に示す遊技盤１１の前面に形成された遊技領域Ｒ１が視認可能になっている。
【００１０】
前面枠１０Ｚのうちガラス窓１０Ｗより下方には、上皿２６と下皿２７が上下２段にして設けられ、下皿２７の右側には、発射ハンドル２８が備えられている。そして、発射ハンドル２８が回動操作されると、上皿２６に収容された遊技球が遊技領域Ｒ１（図２）に向けて弾き出される。
【００１１】
図２に示されるように、遊技領域Ｒ１は全体が略円形状となっていて、ガイドレール１２により囲まれている。遊技盤１１のうち遊技領域Ｒ１の中央には、表示開口１１Ｈが貫通形成され、この表示開口１１Ｈを通して、表示装置１３の表示画面１３Ｇが前方に臨んでいる。なお、表示装置１３の表示画面１３Ｇには、遊技に関する種々の演出が表示される。
【００１２】
表示開口１１Ｈの開口縁には、表示装飾枠２３が取り付けられている。詳細には、表示装飾枠２３は、遊技盤１１の前面側から表示開口１１Ｈに嵌め込まれて遊技盤１１の前面から突出し、遊技領域Ｒ１を流下する遊技球が表示装飾枠２３の内側に進入することを規制している。
【００１３】
表示装飾枠２３の内側の開口部は、横長略矩形状に形成されていて、表示装飾枠２３の下辺部には、遊技球が転動可能なステージ２４が形成されている。また、表示装飾枠２３の側部には、遊技領域Ｒ１を流下する遊技球を受け入れてステージ２４へと誘導するワープ路２４Ｒが形成されている。
【００１４】
表示装飾枠２３の下側には、第１と第２の始動入賞口１４Ａ，１４Ｂが上下に並べて設けられている。表示装飾枠２３の右側には、始動ゲート１８が備えられている。表示装飾枠２３の右下側、即ち、第１と第２の始動入賞口１４Ａ，１４Ｂの右側には、大入賞口１５が設けられている。また、遊技領域Ｒ１には、始動入賞口１４Ａ，１４Ｂ及び大入賞口１５のほかに、複数の一般入賞口２０が備えられている。
【００１５】
一般入賞口２０は、遊技球が１つずつ入ることが可能な大きさで上方又は側方に開口している。一般入賞口２０へ遊技球が入球（入賞）すると、その遊技球は遊技盤１１の後側に取り込まれ、例えば、１個の入球につき１５個の賞球が上皿２６に払い出される。
【００１６】
始動ゲート１８は、遊技球が潜って通過可能な門形構造をなしている。始動ゲート１８を遊技球が通過すると、普通図柄当否判定が行われる。普通図柄当否判定の結果は、普通図柄用表示部１８Ｈに表示される。
【００１７】
第１の始動入賞口１４Ａは、ポケット構造に形成され、遊技球が１つずつ入ることが可能な大きさで上方に開口している。第２の始動入賞口１４Ｂは、遊技球が１つずつ入ることが可能な大きさで前方に開口し、通常は、開閉扉１４Ｔにて前方が閉塞されることで、遊技球の入球（入賞）が規制されている。開閉扉１４Ｔは、上述した普通図柄当否判定の結果が当りとなったときに、下端部を中心に回動して所定時間だけ前側に倒される。すると、開閉扉１４Ｔに受け止められた遊技球が第２の始動入賞口１４Ｂに入球可能となる。
【００１８】
始動入賞口１４Ａ，１４Ｂに遊技球が入球（入賞）すると、所定個数の賞球が上皿２６に払い出されると共に、特別図柄当否判定が行われる。特別図柄当否判定の結果は、特別図柄用表示部１４Ｈに表示されると共に、表示装置１３の表示画面１３Ｇに表示される。そして、特別図柄当否判定の結果が当りであると、大当り遊技が実行される。なお、表示画面１３Ｇにおいては、例えば、数字や文字等で構成される図柄の変動、停止が行われ、停止した図柄の組合せによって特別図柄当否判定の結果が表示される。
【００１９】
大入賞口１５は、横長矩形状をなし、通常の遊技状態では、可動扉１５Ｔにて閉塞されている。上述の大当り遊技が実行されると、可動扉１５Ｔが所定期間に亘って前側に倒される。すると、大入賞口１５が前方に開放し、可動扉１５Ｔを案内にして大入賞口１５に多くの遊技球が入賞可能となる。大入賞口１５に遊技球が入賞すると、所定個数の賞球が上皿２６に払い出される。
【００２０】
上述した各入賞口１４Ａ，１４Ｂ，１５，２０の何れにも入賞しなかった遊技球は、遊技領域Ｒ１の下端部に設けられたアウト口１６に全て取り込まれる。アウト口１６に取り込まれた遊技球は、図示しない球回収装置に回収される。
【００２１】
遊技盤１１の裏側には、図４に示される機構枠１７が備えられている。そして、この機構枠１７に、可動役物ユニット４０を含む種々の部品が固定されている。なお、機構枠１７の内側の開口部１７Ａは、遊技盤１１の表示開口１１Ｈ（図２参照）に重ねられて、表示装置１３の表示画面１３Ｇを視認可能とする。
【００２２】
図４，５に示されるように、可動役物ユニット４０は、固定ベース４１と、可動ベース５１と、を備えている。固定ベース４１は、略円形の開口部４１Ａを内側に有する枠状に形成され、機構枠１７に前側から重ねて固定されている。可動ベース５１は、略円形状をなして、固定ベース４１の開口部４１Ａの内側に嵌め込まれ、固定ベース４１に対して回転可能に構成されている。なお、本実施形態では、固定ベース４１及び可動ベース５１は無色透明に形成され、固定ベース４１及び可動ベース５１を通して表示画面１３Ｇを視認可能に構成されている。
【００２３】
具体的には、可動ベース５１の外周面の一部には、外歯５１Ｇが形成されている。図６（Ａ）に示されるように、可動ベース５１の外歯５１Ｇには、固定ベース４１に回転可能に支持された駆動ギア４２が噛み合っている。駆動ギア４２は、固定ベース４１に備えられたベース駆動源４３（図５参照）によって駆動される。
【００２４】
可動ベース５１は、通常は、図６（Ａ）に示される第１回転位置に配置され、駆動ギア４２の駆動によって、第１回転位置と図６（Ｂ）に示される第２回転位置との間を移動する。第２回転位置は、正面から見て第１回転位置に対して時計方向に約９０度ずれている。ここで、可動ベース５１の中央部には、矩形状の窓部５１Ａが形成されていて、可動ベース５１が第１回転位置又は第２回転位置に配置されると、該窓部５１Ａが表示画面１３Ｇ（図２参照）の中央部と重なる。
【００２５】
図５に示されるように、可動ベース５１には、窓部５１Ａを挟んで対向配置される第１可動部６１及び第２可動部６２と、第１可動部６１及び第２可動部６２をその対向方向に接近、離間させる直動駆動機構７０と、が搭載されている。なお、第１可動部６１と第２可動部６２は、通常は、その対向方向で最も離れる待機位置に配置され（図３参照）、直動駆動機構７０によって、最も近接する合体位置に配置される（図２参照）。
【００２６】
第１可動部６１と第２可動部６２のそれぞれには、対向方向の内側に配置される内側可動体６１Ａ，６２Ａと、対向方向の外側に配置される外側可動体６１Ｂ，６２Ｂと、が備えられている。なお、可動ベース５１が第１回転位置に配置されたとき、第１可動部６１と第２可動部６２は上下方向に対向し、第１可動部６１が第２可動部６２に対して上側に配置される（図６（Ａ））。また、可動ベース５１が第２回転位置に配置されたとき、第１可動部６１と第２可動部６２は左右方向に対向し、第１可動部６１が第２可動部６２に対して右側に配置される（図６（Ｂ））。以下では、第１可動部６１の内側可動体６１Ａ、外側可動体６１Ｂを第１内側可動体６１Ａ、第１外側可動体６１Ｂと適宜称し、第２可動部６２の内側可動体６２Ａ、外側可動体６２Ｂを第２内側可動体６２Ａ、第２外側可動体６２Ｂと適宜称することとする。
【００２７】
図７に示されるように、第１可動部６１の各可動体６１Ａ，６１Ｂと第２可動部６２の各可動体６２Ａ，６２Ｂには、第１可動部６１と第２可動部６２の対向方向に延びる第１プレート部６４及び第２プレート部６５と、第１プレート部６４と第２プレート部６５の間に差し渡された可動演出部６３と、が設けられている。第１プレート部６４と第２プレート部６５は、可動ベース５１の窓部５１Ａを可動演出部６３の延在方向に挟むように配置される。なお、図７には、第１外側可動体６１Ｂと第２外側可動体６２Ｂのみが示されている。
【００２８】
第１可動部６１においては、可動演出部６３の延在方向の一方側に第１プレート部６４が配置され、他方側に第２プレート部６５が配置される。一方、第２可動部６２においては、可動演出部６３の延在方向の一方側に第２プレート部６５が配置され、他方側に第１プレート部６４が配置される。第１可動部６１と第２可動部６２の間では、第１プレート部６４と第２プレート部６５が突き合わされるように配置され、第１可動部６１と第２可動部６２が最も近接したときに、第１可動部６１の第１プレート部６４と第２可動部６２の第２プレート部６５が可動演出部６３の延在方向に並べられ、第１可動部６１の第２プレート部６５と第２可動部６２の第１プレート部６４が可動演出部６３の延在方向に並べられる。
【００２９】
また、第１可動部６１においては、第１内側可動体６１Ａの第１プレート部６４と第１外側可動体６１Ｂの第１プレート部６４が重ねられると共に、第１内側可動体６１Ａの第２プレート部６５と第１外側可動体６１Ｂの第２プレート部６５が重ねられる（図５参照）。同様に、第２可動部６２においては、第２内側可動体６２Ａの第１プレート部６４と第２外側可動体６２Ｂの第１プレート部６４が重ねられると共に、第２内側可動体６２Ａの第２プレート部６５と第２外側可動体６２Ｂの第２プレート部６５が重ねられる。
【００３０】
図７に示されるように、第１プレート部６４と第２プレート部６５には、その延在方向に延びる長孔６４Ｎ，６５Ｎが形成されている。長孔６４Ｎ，６５Ｎには、可動ベース５１に固定された支持軸部６６が挿通されていて、これにより、第１プレート部６４と第２プレート部６５は、それぞれの延在方向に直動可能となっている。また、第１プレート部６４の両側部には、ラック６４Ｒ，６４Ｒが形成され、第２プレート部６５のうち第１プレート部６４と反対側の部分には、ラック６５Ｒが形成されている。
【００３１】
図４，５，７に示されるように、直動駆動機構７０は、可動演出部６３の延在方向で可動ベース５１の窓部５１Ａを挟むように対をなして設けられている。各直動駆動機構７０には、第１内側可動体６１Ａと第２内側可動体６２Ａを駆動するための内側可動体用駆動源７１Ａと、第１外側可動体６１Ｂと第２外側可動体６２Ｂを駆動するための外側可動体用駆動源７１Ｂと、各駆動源７１Ａ，７１Ｂによって回転駆動される駆動ギア７２，７２（図７には、外側可動体用駆動源７１Ｂにより回転駆動される駆動ギア７２のみが示されている。）と、が備えられている。
【００３２】
図７に示されるように、駆動ギア７２は、第１プレート部６４のラック６４Ｒ，６４Ｒのうち第２プレート部６５と反対側に配されるラック６４Ｒと噛合する。詳細には、１対の直動駆動機構７０，７０のうち一方の直動駆動機構７０（図７では、右側の直動駆動機構７０）の駆動ギア７２は、第１可動部６１の各可動体６１Ａ，６１Ｂにおける第１プレート部６４のラック６４Ｒと噛合し、他方の直動駆動機構７０（図７では、左側の直動駆動機構７０）の駆動ギア７２は、第２可動部６２の各可動体６２Ａ，６２Ｂにおける第１プレート部６４のラック６４Ｒと噛合する。
【００３３】
また、一方の直動駆動機構７０には、第１可動部６１の第１プレート部６４と第２可動部６２の第２プレート部６５の間に挟まれて、該第１プレート部６４のラック６４Ｒと該第２プレート部６５のラック６５Ｒの両方と噛合する中継ギア７３が備えられている。他方の直動駆動機構７０には、第１可動部６１の第２プレート部６５と第２可動部６２の第１プレート部６４の間に挟まれて、該第１プレート部６４のラック６４Ｒと該第２プレート部６５のラック６５Ｒの両方と噛合する中継ギア７３が備えられている。
【００３４】
１対の直動駆動機構７０，７０において外側可動体用駆動源７１Ｂにより駆動ギア７２が回転駆動されると、図７の矢印に示されるように、第１外側可動体６１Ｂの第１プレート部６４と第２外側可動体６２Ｂの第１プレート部６４が長孔６４Ｎに沿って逆方向に移動する。なお、１対の直動駆動機構７０，７０において駆動ギア７２の回転方向は同じになっている。
【００３５】
第１外側可動体６１Ｂの第１プレート部６４が長孔６４Ｎに沿って移動すると、その移動に伴って中継ギア７３が回転し、第２外側可動体６２Ｂの第２プレート部６５が該第１プレート部６４と逆方向に移動する。ここで、第２外側可動体６２Ｂの第２プレート部６５の移動方向は、該可動体６２Ｂの第１プレート部６４の移動方向と同じになっているので、第２外側可動体６２Ｂは、２つの外側可動体用駆動源７１Ｂ，７１Ｂによって駆動されることになる。
【００３６】
また、第２外側可動体６２Ｂの第１プレート部６４が長孔６４Ｎに沿って移動すると、その移動に伴って中継ギア７３が回転し、第１外側可動体６１Ｂの第２プレート部６５が該第１プレート部６４と逆方向に移動する。ここで、第１外側可動体６１Ｂの第２プレート部６５の移動方向は、該可動体６１Ｂの第１プレート部６４の移動方向と同じになっているので、第１外側可動体６１Ｂは、２つの外側可動体用駆動源７１Ｂ，７１Ｂによって第２外側可動体６２Ｂと逆方向に駆動されることになる
【００３７】
第１内側可動体６１Ａと第２内側可動体６２Ａの駆動は、第１外側可動体６１Ｂと第２外側可動体６２Ｂの駆動と同様になっている。そして、直動駆動機構７０は、第１外側可動体６１Ｂと第２外側可動体６２Ｂの駆動と同様にして、第１内側可動体６１Ａと第２内側可動体６２Ａを逆方向に駆動する。
【００３８】
図５，８に示されるように、可動演出部６３は、角柱状の回転体８１と、回転体８１を軸方向に挟んで支持する１対の支持体８２，８２と、回転体８１の裏側に配置されて１対の支持体８２，８２を連絡する連絡部材８３と、を有している。一方の支持体８２には、回転体８１の中心軸８１Ｊ（図８参照）を中心にして回転体８１を回転させる回転駆動源８１Ｋが備えられている。なお、回転体８１は、複数のブロック８５を並べて構成され、連絡部材８３には、ブロック８５同士の間及びブロック８５と支持体８２の間を仕切る仕切り板８４が設けられている。
【００３９】
図９（Ａ）、９（Ｂ）に示されるように、回転体８１の各ブロック８５は、角筒体８６の内部に発光基板８７を備えた構造になっている。角筒体８６の両端は、円形開口８９Ａを有する端部壁８９によって閉塞され、円形開口８９Ａの内周面に内歯歯車８９Ｇが形成されている。端部壁８９は、仕切り板８４に回転可能に支持される。角筒体８６の内部には、内歯歯車８９Ｇと噛合するギア８８が備えられている。ギア８８は、回転体８１を貫通する回転シャフト８８Ｓに固定されている。回転シャフト８８Ｓは、仕切り板８４に支持され、回転駆動源８１Ｋによって回転駆動される。
【００４０】
発光基板８７には、複数の発光素子８７Ａが搭載されている。また、角筒体８６の周壁には、第１透光壁８６Ａと第２透光壁８６Ｂが設けられている。そして、第１透光壁８６Ａ又は第２透光壁８６Ｂが発光素子８７Ａに対向配置されると、発光素子８７Ａからの光が遊技者に認識されるようになる。ここで、第１透光壁８６Ａと第２透光壁８６Ｂは互いに対向配置されていて、通常は、第１透光壁８６Ａが発光素子８７Ａに対向配置されている（図９（Ａ））。回転体８１が回転して、第２透光壁８６Ｂが発光素子８７Ａに対向配置されると、第２透光壁８６Ｂを通して、発光素子８７Ａの光が遊技者に認識可能となる（図９（Ｂ））。
【００４１】
図１０には、遊技機１０の電気的な構成が示されている。同図において、符号１５０は、主制御回路１５０であって、ＣＰＵ１５０Ａ、ＲＡＭ１５０Ｂ、ＲＯＭ１５０Ｃ及び複数のカウンタを備えたマイクロコンピュータと、該マイクロコンピュータとサブ制御回路１５２を結ぶ入出力回路と、大入賞装置等が接続された中継回路及び払出制御回路等を結ぶ入出力回路とを備え、遊技に関わる主制御を行う。ＣＰＵ１５０Ａは、当否判定部、制御部、演算部、各種カウンタ、各種レジスタ、各種フラグ等を備え、演算制御を行う他、特別図柄当否判定や普通図柄当否判定に関する乱数等も生成し、制御信号をサブ制御回路１５２等へ出力（送信）可能に構成されている。ＲＡＭ１５０Ｂは、ＣＰＵ１５０Ａで生成される各種乱数値用の記憶領域、各種データを一時的に記憶する記憶領域やフラグ、ＣＰＵ５０Ａの作業領域を備える。ＲＯＭ１５０Ｃには、制御データ、特別図柄及び普通図柄の変動表示に関する図柄変動データ等が書き込まれている他、特別図柄当否判定及び普通図柄当否判定の判定値等が書き込まれている。
【００４２】
サブ制御回路１５２は、主制御回路１５０と同様に、ＣＰＵ１５２Ａ、ＲＡＭ１５２Ｂ、ＲＯＭ１５２Ｃ及び複数のカウンタを備えたマイクロコンピュータと、該マイクロコンピュータと主制御回路１５０を結ぶ入出力回路と、表示制御回路１５４、ランプ制御回路１５５、可動役物ユニット４０等を結ぶ入出力回路を備えている。ＣＰＵ１５２Ａは、制御部、演算部、各種カウンタ、各種レジスタ、各種フラグ等を備え、演算制御を行う他、制御信号を表示制御回路１５４、ランプ制御回路１５５、可動役物ユニット４０等へ出力（送信）可能に構成されている。ＲＡＭ１５２Ｂは、各種データの記憶領域とＣＰＵ１５２Ａによる作業領域を有している。ＲＯＭ１５２Ｃには、各種演出のデータ等が記憶されている。
【００４３】
サブ制御回路１５２は、可動役物ユニット４０のベース駆動源４３、内側可動体用駆動源７１Ａ、外側可動体用駆動源７１Ｂ、回転駆動源８１Ｋを制御することで、可動ベース５１と、第１可動部６１及び第２可動部６２の各可動体６１Ａ，６１Ｂ，６２Ａ，６２Ｂと、各可動体６１Ａ，６１Ｂ，６２Ａ，６２Ｂにおける回転体８１と、を駆動制御する。
【００４４】
表示制御回路１５４は、表示装置１３に設けられていて、ＣＰＵ１５４Ａ、ＲＡＭ１５４Ｂ及びＲＯＭ１５４Ｃを有している。ＣＰＵ１５４Ａは、サブ制御回路１５２からの制御信号に基づき、画像データをＲＯＭ１５４Ｃから取得し、その画像データに基づいて表示画面１３Ｇに画像を表示する。
【００４５】
ランプ制御回路１５５は、サブ制御回路１５２からの制御信号に基づいて、装飾ランプや可動役物ユニット４０の発光基板８７に実装された発光素子８７Ａ（図９（Ａ）参照）をオンオフ制御する。
【００４６】
なお、図５，１１，１５に示されるように、本実施形態の遊技機１０は、固定ベース４１に第１中継基板４４を固定して備え、可動ベース５１に第２中継基板７４を固定して備え、可動体６１Ａ，６１Ｂ，６２Ａ，６２Ｂのそれぞれに第３中継基板１０４を固定して備えている。第１中継基板４４は、サブ制御回路１５２からの制御信号を受けて、第２中継基板７４へと出力する。また、第１中継基板４４は、サブ制御回路１５２やランプ制御回路１５５からの制御信号をベース駆動源４３（図５，１０）に出力する。第２中継基板７４は、サブ制御回路１５２やランプ制御回路１５５からの制御信号を第１中継基板４４を介して受け、第３中継基板１０４へと出力する。また、第２中継基板７４は、サブ制御回路１５２からの制御信号を内側可動体用駆動源７１Ａ、外側可動体用駆動源７１Ｂ等（図５，１０）に出力する。第３中継基板１０４は、サブ制御回路１５２やランプ制御回路１５５からの制御信号を第１中継基板４４及び第２中継基板７４を介して受け、回転駆動源８１Ｋ、発光基板８７等（図５，９，１０）に出力する。
【００４７】
＜第１中継基板４４と第２中継基板７４の接続について＞
図５に示されるように、第１中継基板４４は、固定ベース４１の枠の隅部に立設された突壁４５に重ねて固定されている。具体的には、固定ベース４１は、円環部４１Ｃの左上部と右下部から外側に張出部４１Ｈが張り出した形状をなし、突壁４５は、各張出部４１Ｈから前方に突出している。そして、第１中継基板４４は、２つの張出部４１Ｈ，４１Ｈの各突壁４５に固定されている。突壁４５は、略水平に配置されていて、左上の張出部４１Ｈの突壁４５においては、該突壁４５の上面に第１中継基板４４が重ねて固定され、右下の張出部４１Ｈの突壁４５においては、該突壁４５の下面に第１中継基板４４が重ねて固定されている。
【００４８】
図１１に示されるように、第２中継基板７４は、１対の直動駆動機構７０，７０のそれぞれに備えられている（図１１には、一方の直動駆動機構７０のみが示されている。）。具体的には、直動駆動機構７０には、内側可動体用駆動源７１Ａと外側可動体用駆動源７１Ｂを支持する支持盤７５が設けられていて、その支持盤７５に第２中継基板７４が固定されている。
【００４９】
より具体的には、図１１に示されるように、支持盤７５は、遊技盤１１の前面と略平行に配置される主壁７５Ａと、主壁７５Ａから前方に起立する起立側壁７５Ｂと、を備えている。主壁７５Ａは、円の一部を切除してなる半月状に形成され、可動ベース５１における窓部５１Ａの開口縁に配置されている。主壁７５Ａの円弧部分は、可動ベース５１の外縁部を構成する。また、起立側壁７５Ｂは、主壁７５Ａの円弧部分に沿って延在する。即ち、起立側壁７５Ｂは、可動ベース５１の回転方向に沿って延びている。また、起立側壁７５Ｂは、可動ベース５１において主壁７５Ａの円弧状の端縁より内側に配置され、主壁７５Ａのうち起立側壁７５Ｂより外側に配される部分がフランジ部７５Ｆを構成している。そして、主壁７５Ａのうち起立側壁７５Ｂよりも可動ベース５１の内側に配置される部分に、第２中継基板７４が重ねられている。なお、詳細には、支持盤７５には、主壁７５Ａに前側から対向するカバー壁７９（図１５）が備えられていて、第２中継基板７４は、主壁７５Ａとカバー壁７９との間に挟まれている。
【００５０】
本実施形態の遊技機１０では、固定ベース４１に固定して備える第１中継基板４４と、可動ベース５１に固定して備える第２中継基板７４との間が、ケーブルＣ１０によって電気的に接続されている。ケーブルＣ１０は、帯状に形成され、その幅方向が遊技盤１１の前面と略直交するように配置されている。なお、ケーブルＣ１０は、例えば、フレキシブルフラットケーブルで構成される。
【００５１】
図１１に示されるように、固定ベース４１の突壁４５には、突壁４５との間に第１中継基板４４を挟む第１ケーブル押え４７が取り付けられている。第１ケーブル押え４７は、ケーブルＣ１０の末端部を突壁４５に重ねた状態に固定する。このように、本実施形態では、突壁４５と第１ケーブル押え４７とによって、ケーブルＣ１０を固定ベース４１に固定する第１ケーブル固定部４８が構成されている。図５，１１に示されるように、第１ケーブル固定部４８は、第１中継基板４４に対して可動ベース５１の回転方向の第２回転位置側（図１１では、時計方向側）へ延びるように、ケーブルＣ１０を固定する。
【００５２】
なお、固定ベース４１には、ケーブルＣ１０の幅方向でケーブルＣ１０に対向する対向突部４１Ｔを突壁４５の近傍に備えている。対向突部４１Ｔは、ケーブルＣ１０の遊技盤１１の厚み方向の撓みを抑制する。対向突部４１Ｔは、前側から見てケーブルＣ１０の突壁４５への固定部分を中心とした略円弧状に形成されていて、可動ベース５１が第１回転位置（図６（Ａ），１２（Ａ））と第２回転位置（図６（Ｂ），１３）の間の任意の回転位置に配置されたときにも、ケーブルＣ１０に対向配置されるようになっている。
【００５３】
図５，１１に示されるように、支持盤７５の起立側壁７５Ｂは、主壁７５Ａに一体形成された固定壁部７５Ｂ１と、主壁７５Ａに対して着脱可能に構成された取付壁部７５Ｂ２とで構成されている。取付壁部７５Ｂ２は、起立側壁７５Ｂの一端部（詳細には、可動ベース５１の回転方向の第１回転位置側（図１１では、反時計方向側）の端部）を構成し、取付壁部７５Ｂ２の他端部（詳細には、可動ベース５１の回転方向の第２回転位置側（図１１では、時計方向側）の端部）は、固定壁部７５Ｂ１に外側から重ねられている。ケーブルＣ１０は、固定壁部７５Ｂ１と取付壁部７５Ｂ２との間に挟まれて、固定壁部７５Ｂ１に沿って可動ベース５１の回転方向の第２回転位置側へ延びるように固定されている。即ち、固定壁部７５Ｂ１と取付壁部７５Ｂ２は、ケーブルＣ１０を起立側壁７５Ｂ（詳細には、固定壁部７５Ｂ１）に重ねて固定する第２ケーブル固定部７７を構成する。
【００５４】
図１１，１２（Ａ）には、可動ベース５１が第１回転位置に配置されているときのケーブルＣ１０の様子が示されている。このとき、第１ケーブル固定部４８は、第２ケーブル固定部７７に対して、可動ベース５１の回転方向で第２回転位置側（図１１，１２（Ａ）では、時計方向側）に配置されている。また、上述したように、ケーブルＣ１０は、第１ケーブル固定部４８によって可動ベース５１の回転方向の第２回転位置側へ延びるように固定されている。そして、ケーブルＣ１０は、第２ケーブル固定部７７から支持盤７５の起立側壁７５Ｂ（詳細には、固定壁部７５Ｂ１）に沿って第２回転位置側（図１１では、時計方向側）へ延び、第１ケーブル固定部４８の近傍では、起立側壁７５Ｂから離れると共に第１回転位置側（図１１では、時計方向側）へ折り曲げられている。なお、本実施形態では、ケーブルＣ１０の長さは、可動ベース５１が第１回転位置に配置されているときの第１ケーブル固定部４８と第２ケーブル固定部７７の間の距離より若干長くなっている。次述するように、可動ベース５１の移動に伴ってケーブルＣ１０の撓み量が変化するが、ケーブルＣ１０の撓み量は、可動ベース５１が第１回転位置に配置されたときに最小となる。
【００５５】
図１２（Ａ）→図１２（Ｂ）の変化に示されるように、可動ベース５１が第１回転位置から第２回転位置側へと移動すると、その可動ベース５１の移動に伴って、第１ケーブル固定部４８と第２ケーブル固定部７７の間の距離が徐々に短くなり、ケーブルＣ１０の撓み量が大きくなる。ここで、上述したように、第１ケーブル固定部４８と第２ケーブル固定部７７は共に、ケーブルＣ１０が可動ベース５１の回転方向の第２回転位置側（図１２（Ａ）、図１２（Ｂ）の時計方向側）へ延びるようにケーブルＣ１０を固定する。従って、ケーブルＣ１０は、第２ケーブル固定部７７から第２回転位置側へ延びた後、第１回転位置側へ折り曲げられる。
【００５６】
図１２（Ｂ）→図１３に示されるように、可動ベース５１が更に第２回転位置側へ移動すると、第１ケーブル固定部４８と第２ケーブル固定部７７の間の距離が徐々に長くなり、ケーブルＣ１０の撓み量が小さくなる。そして、図１３に示されるように、可動ベース５１が第２回転位置に配置されると、第１ケーブル固定部４８が、第２ケーブル固定部７７に対して、可動ベース５１の回転方向で第１回転位置側（図１３では、反時計方向側）に配置される。ここで、ケーブルＣ１０は、第２ケーブル固定部７７によって可動ベース５１の回転方向の第２回転位置側（時計方向側）へ延びるように固定されている。従って、ケーブルＣ１０は、第２ケーブル固定部７７から第１回転位置側（反時計方向側）に折り返されて第１ケーブル固定部４８側へと延びる。
【００５７】
本実施形態の遊技機１０では、ケーブルＣ１０は、その厚み方向で可動ベース５１の外側面、即ち、支持盤７５の起立側壁７５Ｂと対向し、該起立側壁７５Ｂに沿うように取り回されている。このため、可動ベース５１が移動すると、ケーブルＣ１０が起立側壁７５Ｂ１に擦れて損傷するという問題が生じ得る。このような問題を防ぐべく、遊技機１０では、ケーブルＣ１０と起立側壁７５Ｂの接触を抑制するカバーシートＣ２０が備えられている。
【００５８】
図５，１１に示されるように、カバーシートＣ２０は、ケーブルＣ１０と同様の帯状に形成されて、ケーブルＣ１０のうち起立側壁７５Ｂに突き合わされる面（図１１では、ケーブルＣ１０の折り曲がり方向の外側を向く面）に重ねられる。ここで、カバーシートＣ２０は、ケーブルＣ１０より幅広に形成されている。これにより、カバーシートＣ２０からのケーブルＣ１０のはみ出しが抑制される。なお、ケーブルＣ１０は、カバーシートＣ２０の幅方向の中間部に重ねられる。
【００５９】
また、カバーシートＣ２０は、可撓性を有することで、可動ベース５１の移動に伴うケーブルＣ１０の撓みに追従することが可能となっている。その結果、起立側壁７５ＢとケーブルＣ１０の間にカバーシートＣ２０を配置し易くなる。
【００６０】
カバーシートＣ２０は、ケーブルＣ１０の長さ方向の一部分にのみ重ねられている。具体的には、カバーシートＣ２０の両端部は、第１ケーブル固定部４８と第２ケーブル固定部７７によってケーブルＣ１０に重ねて固定され、カバーシートＣ２０のうち両端部を除いた部分が、ケーブルＣ１０のうち第１ケーブル固定部４８と第２ケーブル固定部７７とに挟まれる部分に重ねられる。このように、本実施形態では、ケーブルＣ１０のうち起立側壁７５Ｂと接触する可能性がある部分にカバーシートＣ２０を重ねつつ、カバーシートＣ２０の使用量を少なくすることが可能となる。
【００６１】
カバーシートＣ２０の中間部（詳細には、カバーシートＣ２０のうち第１ケーブル固定部４８と第２ケーブル固定部７７に挟まれる区間の中間部）は、例えば、両面テープや接着剤等によってケーブルＣ１０に固定されている。これにより、カバーシートＣ２０とケーブルＣ１０が離れることが抑制されている。
【００６２】
本実施形態の遊技機１０では、ケーブルＣ１０として、第１ケーブルＣ１０Ａと第２ケーブルＣ１０Ｂの２種類が設けられている。第２ケーブルＣ１０Ｂは、第１ケーブルＣ１０Ａよりも幅狭に形成されていて、第１ケーブルＣ１０ＡとカバーシートＣ２０の間に挟まれている。このように、本実施形態では、１枚のカバーシートＣ２０によって２本のケーブルＣ１０（第１ケーブルＣ１０Ａと第２ケーブルＣ１０Ｂ）の可動ベース５１との接触を抑制可能となっている。なお、第１ケーブルＣ１０Ａと第２ケーブルＣ１０Ｂは、長さ方向の所定位置で、例えば、両面テープや接着剤等によって固定されていて、互いに離れることが抑制されている。また、第２ケーブルＣ１０Ｂは、第１ケーブルＣ１０Ａの幅方向の中間部に重ねられている。
【００６３】
第１中継基板４４と第２中継基板７４の間の接続に関する説明は以上である。このように、本実施形態の遊技機１０では、ケーブルＣ１０のうち可動ベース５１の起立側壁７５Ｂ（図１１）と対向する面にカバーシートＣ２０が重ねられているので、ケーブルＣ１０と起立側壁７５Ｂとの接触が抑制され、可動ベース５１の移動に起因したケーブルＣ１０の損傷が抑制される。
【００６４】
また、本実施形態の遊技機１０では、固定ベース４１に備えた第１ケーブル固定部４８がケーブルＣ１０とカバーシートＣ２０を可動ベース５１の移動方向の一方側（第２回転位置側）を向くように固定すると共に、可動ベース５１に備えた第２ケーブル固定部７７がケーブルＣ１０とカバーシートＣ２０を可動ベース５１の移動方向の一方側（第２回転位置側）を向くように固定するので、ケーブルＣ１０及びカバーシートＣ２０の撓み方向が固定され易くなり、可動ベース５１とケーブルＣ１０との間にカバーシートＣ２０を沿わせやすくなる。しかも、第２ケーブル固定部７７は、可動ベース５１における支持盤７５の対向側壁７５Ｂ（詳細には、固定壁部７５Ｂ１）と重なるようにケーブルＣ１０とカバーシートＣ２０を固定するので、可動ベース５１の移動に伴ってケーブルＣ１０とカバーシートＣ２０を対向側壁７５Ｂに沿って配置することが可能となり、ケーブルＣ１０及びカバーシートＣ２０が可動ベース５１の移動の妨げになることが抑制される。
【００６５】
また、本実施形態の遊技機１０では、可動ベース５１は、通常は、第１回転位置（図１２（Ａ））に配置され、ケーブルＣ１０及びカバーシートＣ２０の撓み量は、可動ベース５１が第１回転位置に配置されたときに最小となるので、ケーブルＣ１０及びカバーシートＣ２０に撓み癖がつくことを抑制可能となる。さらに、可動ベース５１が第１回転位置と第２回転位置の間の中間位置（図１２（Ｂ））に配置されたときに、第１ケーブル固定部４８と第２ケーブル固定部７７が最も接近するので、ケーブルＣ１０とカバーシートＣ２０を短くすることが可能となる。
【００６６】
なお、本実施形態の別の形態として、カバーシートＣ２０は、ケーブルＣ１０の両面に重ねられてもよい。また、カバーシートＣ２０は、ケーブルＣ１０の長さ方向の一部ではなく全体に重ねられてもよい。
【００６７】
また、本実施形態の別の形態として、可動ベース５１が可動ストロークの一端（即ち、第１回転位置又は第２回転位置）に配置されたときに、第１ケーブル固定部４８と第２ケーブル固定部７７が最も接近する構成としてもよい。
【００６８】
また、本実施形態の別の形態として、カバーシートＣ２０の代わりに板状又はケース状のカバー部材を用いて、ケーブルＣ１０と可動ベース５１との接触を抑制する構成であってもよい。
【００６９】
また、図２０に示されるように、可動ベース５１は、固定ベース４１に対して直動する構成であってもよい。なお、図２０の例では、可動ベース５１が可動ストロークの一端に配置されたときに第１ケーブル固定部４８と第２ケーブル固定部７７が最も近接し（図２０（Ａ））、可動ベース５１が可動ストロークの他端に配置されたときに第１ケーブル固定部４８と第２ケーブル固定部７７が最も離れる構成となっているが（図２０（Ｂ））、可動ベース５１が可動ストロークの中間に配置されたときに第１ケーブル固定部４８と第２ケーブル固定部７７が最も近接する構成であってもよい。
【００７０】
＜第２中継基板７４と第３中継基板１０４の接続について＞
図８，１４に示されるように、第３中継基板１０４は、各可動体６１Ａ，６１Ｂ，６２Ａ，６２Ｂにおける可動演出部６３の支持体８２に固定されている。具体的には、図８に示されるように、各可動体６１Ａ，６１Ｂ，６２Ａ，６２Ｂの可動演出部６３において１対の支持体８２，８２のうち一方の支持体８２には、可動演出部６３の延在方向（回転体８１の中心軸８１Ｊの延在方向）で対向した１対の対向支持壁８２Ｈ，８２Ｈが備えられていて、それら１対の対向支持壁８２Ｈ，８２Ｈの間に回転駆動源８１Ｋが挟まれている。そして、１対の対向支持壁８２Ｈ，８２Ｈのうち回転体８１から遠い側の対向支持壁８２Ｈ（以下、「外側対向支持壁８２Ｈ」と称する。）に第３中継基板１０４が重ねて固定されている。
【００７１】
本実施形態の遊技機１０では、可動ベース５１の直動駆動機構７０に固定して備える第２中継基板７４と、第１可動部６１及び第２可動部６２の各可動体６１Ａ，６１Ｂ，６２Ａ，６２Ｂに固定して備える第３中継基板１０４との間が、ケーブルＣ３０によって電気的に接続されている。ケーブルＣ３０は、ケーブルＣ１０と同様に、帯状に形成されていて、その幅方向が遊技盤１１の前面と略直交するように配置される。これにより、ケーブルＣ３０の表裏が遊技者に視認困難となり、ケーブルＣ３０を目立たなくすることが可能となる。なお、ケーブルＣ３０は、例えば、フレキシブルフラットケーブルで構成される。
【００７２】
図１４に示されるように、第２中継基板７４から延びるケーブルＣ３０は、直動駆動機構７０の支持盤７５に備えた第３ケーブル固定部７８によって固定されている。第３ケーブル固定部７８は、第２中継基板７４を前側から覆うカバー壁７９の前面に立設された１対の支柱７９Ｓ，７９Ｓによって構成されている。ケーブルＣ３０は、第２中継基板７４からカバー壁７９の前側に引き出され、１対の支柱７９Ｓ，７９Ｓの間に挟まれる。ここで、１対の支柱７９Ｓ，７９Ｓは、支持盤７５の起立側壁７５Ｂに沿って並べられていて、可動ベース５１の内側から外側へ向かうようにケーブルＣ３０を固定する。なお、カバー壁７９には、可動ベース５１の外縁に沿って延在する外側規制壁７９Ｈが設けられていて、１対の支柱７９Ｓ，７９Ｓの間に通されたケーブルＣ３０は、外側規制壁７９Ｈに宛がわれることで、可動ベース５１の外側へ膨らむことが抑制されている。なお、図１４，１５には、図面の理解を容易にするために、支持盤７５のうち前方に突出した一部の部位がグレー表示にて示されている。
【００７３】
図８，１６（Ａ）に示されるように、ケーブルＣ３０における第３中継基板１０４側の端部は、各可動体６１Ａ，６１Ｂ，６２Ａ，６２Ｂに備えた第４ケーブル固定部１０５によって固定される。具体的には、各可動体６１Ａ，６１Ｂ，６２Ａ，６２Ｂの外側対向支持壁８２Ｈには、回転駆動源８１Ｋと反対側から第２ケーブル押え１００が取り付けられる。第２ケーブル押え１００は、外側対向支持壁８２Ｈとの間に第３中継基板１０４を挟むと共に、第３中継基板１０４に接続されるケーブルＣ３０を第３中継基板１０４に重ねた状態に固定する。即ち、ケーブルＣ３０は、第３中継基板１０４の表裏の面のうち外側対向支持壁８２Ｈと反対側を向く面である第１面１０４Ｍに重ねて固定される。このように、本実施形態の遊技機１０では、第３中継基板１０４と第２ケーブル押え１００とによって、第４ケーブル固定部１０５が構成されている。
【００７４】
なお、本実施形態では、外側対向支持壁８２Ｈは、遊技盤１１の前面に対して略直交するように配置されるので、第３中継基板１０４の第１面１０４Ｍは、遊技者に視認困難となっている。また、外側対向支持壁８２Ｈは、図８に示されるように、可動演出部６３の延在方向と略直交するので、第３中継基板１０４の第１面１０４Ｍは、各可動体６１Ａ，６１Ｂ，６２Ａ，６２Ｂの移動方向に延在する。
【００７５】
以下、第２ケーブル押え１００の詳細について説明する。図１６（Ｂ）に示されるように、第２ケーブル押え１００は、プレート部１０１にケーブル挿通口１０２が貫通形成された構造になっている。具体的には、プレート部１０１とケーブル挿通口１０２は共に略矩形状に形成され、ケーブル挿通口１０２はプレート部１００の中央部に設けられている。
【００７６】
プレート部１０１におけるケーブル挿通口１０２の開口縁には、ケーブル誘導部１０３が突設されている。ケーブル誘導部１０３は、プレート部１０１の外側へ向かって延びる略帯板状に形成され、プレート部１０１に対して斜めに傾斜している。そして、ケーブル誘導部１０３においてケーブル挿通口１０２側を向く面が、ケーブル誘導部１０３の突出方向先端側へ向かうにつれてケーブル挿通口１０２から遠ざかるように傾斜した誘導傾斜面１０３Ｍとなっている。
【００７７】
図１６（Ａ）に示されるように、第２ケーブル押え１００は、ケーブル挿通口１０２に挿通されたケーブルＣ３０を第３中継基板１０４の第１面１０４Ｍとの間に挟む。ここで、ケーブルＣ３０は、第３中継基板１０４から第１可動部６１と第２可動部６２の対向方向の内側（図２に示される合体位置側）へと延びた後、反対側に折り返される。そして、そのケーブルＣ３０の折り返し部分が、第２ケーブル押え１００におけるケーブル挿通口１０２の開口縁と第３中継基板１０４の第１面１０４Ｍとの間に挟まれる。なお、図１６（Ａ）の例では、第３中継基板１０４の接続端子１０４Ｔがケーブル挿通口１０２に受容され、この接続端子１０４ＴにケーブルＣ３０が接続されている。
【００７８】
図１６（Ａ）に示されるように、ケーブル誘導部１０３は、プレート部１０１に対して第３中継基板１０４と反対側に配置される。また、ケーブル誘導部１０３は、ケーブル挿通口１０２の開口縁においてケーブルＣ３０を第３中継基板１０４との間に挟む部位と反対側に配置される。言い換えれば、ケーブル誘導部１０３は、ケーブルＣ３０を押さえる部位との間にケーブル挿通口１０２を挟むように配置される。
【００７９】
なお、本実施形態では、図８，１６（Ａ），１６（Ｂ）に示される第２ケーブル押え１００は、第１内側可動体６１Ａと第２内側可動体６２Ａの外側対向支持壁８２Ｈに取り付けられる。第１外側可動体６１Ｂと第２外側可動体６２Ｂの外側対向支持壁８２Ｈに取り付けられる第２ケーブル押え１００は、ケーブル誘導部１０３を備えない構成となっている（図１４）。
【００８０】
図１４には、第１可動部６１が待機位置（図３）に配置されたときの第３ケーブル固定部７８と第４ケーブル固定部１０５の配置が示されている。同図では、第１可動部６１の第１内側可動体６１Ａと第１外側可動体６１Ｂに備えた第４ケーブル固定部１０５は、共に、直動駆動機構７０に備えた第３ケーブル固定部７８に対して待機位置側に配置されている。また、第３ケーブル固定部７８は、第２中継基板７４から各可動体６１Ａ，６１Ｂに備えた第３中継基板１０４へ向かって延びるケーブルＣ３０を、第１可動部６１の移動方向で待機位置側へ延びるように固定している。そして、ケーブルＣ３０は、第３ケーブル固定部７８から第１可動部６１の移動方向で待機位置側（図１４では上側）に延び、第４ケーブル固定部１０５の近傍で合体位置側（図１４では下側。合体位置については図２を参照。）を向くように折り曲げられている。
【００８１】
また、図１４には、第１可動部６１が合体位置（図２）に配置されたときの第１内側可動体６１Ａが２点鎖線で示されている。第１可動部６１が合体位置に配置されると、第１内側可動体６１Ａに備えた第４ケーブル固定部１０５は、第３ケーブル固定部７８に対して合体位置側（図１４では下側）に配置される。そして、第２中継基板７４と第１内側可動体６１Ａの第３中継基板１０４とを接続するケーブルＣ３０は、第３ケーブル固定部７８から第１可動部６１の移動方向で合体位置側へと折り曲げられて、第１内側可動体６１Ａ（第４ケーブル固定部１０５）へ向かって延びている。なお、図１４から明らかなように、本実施形態では、第３ケーブル固定部７８は、第１可動部６１の各可動体６１Ａ，６１Ｂの移動領域に対して側方にずれた位置に配置されていて、各可動体６１Ａ，６１Ｂに備えた第３中継基板１０４と対向するように配置される。
【００８２】
図１５には、図１４に示される状態から第１内側可動体６１Ａのみがその可動ストロークの中間位置に配置されたときの第３ケーブル固定部７８と第４ケーブル固定部１０５の配置が示されている。このとき、第３ケーブル固定部７８と第４ケーブル固定部１０５は最も接近し、ケーブルＣ３０の撓み量が最大となる。
【００８３】
図１５に示される状態において、第１内側可動体６１Ａの第３中継基板１０４に接続されるケーブルＣ３０は、第４ケーブル固定部１０５によって第１外側可動体６１Ｂ側へ延びるように固定されている。また、第１内側可動体６１Ａに取り付けられる第２ケーブル押え１００においては、ケーブル誘導部１０３がケーブル挿通口１０２（図１６（Ａ），１６（Ｂ））に対して第１外側可動体６１Ｂ側に配置される。従って、第４ケーブル固定部１０５から第３ケーブル固定部７８へ延びるケーブルＣ３０は、ケーブル誘導部１０３の傾斜誘導面１０３Ｍに宛がわれる。ここで、傾斜誘導面１０３Ｍは、第１外側可動体６１Ｂへ近づくにつれて第３中継基板１０４の第１面１０４Ｍから遠ざかるように傾斜するように配置され、第３中継基板１０４の第１面１０４Ｍは、第１内側可動体６１Ａの移動方向に対して外側側方を向くように配置されている。即ち、第４ケーブル固定部１０５から第３ケーブル固定部７８へ向かうケーブルＣ３０は、傾斜誘導面１０３Ｍによって第１内側可動体６１Ａと第１外側可動体６１Ｂの間の隙間から遠ざけられる。これにより、第１内側可動体６１Ａと第１外側可動体６１Ｂの間にケーブルＣ３０が挟まれることが抑制されている。
【００８４】
なお、図示はしないが、第２可動部６２の可動体６２Ａ，６２Ｂに備えた第４ケーブル固定部１０５と第３ケーブル固定部７８との配置は、図１４〜１５に示される第１可動部６１の可動体６１Ａ，６１Ｂに備えた第４ケーブル固定部１０５と第３ケーブル固定部７８の配置と同様になっている。そして、第２内側可動体６２Ａに取り付けられた第２ケーブル押え１００のケーブル誘導部１０３によって、第２内側可動体６２Ａの第３中継基板１０４に接続されるケーブルＣ３０が、第２内側可動体６２Ａと第２外側可動体６２Ｂとの間の隙間から遠ざけられる。
【００８５】
第２中継基板７４と第３中継基板１０４の間の接続に関する説明は以上である。このように、本実施形態の遊技機１０では、第１可動部６１において、第１内側可動体６１Ａに備えた第３中継基板１０４に接続されるケーブルＣ３０がケーブル誘導部１０３によって第１内側可動体６１Ａと第１外側可動体６１Ｂとの間の隙間から遠ざけられるので、ケーブルＣ３０が第１内側可動体６１Ａと第１外側可動体６１Ｂの間に挟まれることが抑えられ、ケーブルＣ３０の損傷が抑制される。
【００８６】
また、本実施形態の遊技機１０では、第１内側可動体６１Ａに備えた第３中継基板１０４の第１面１０４Ｍに第２ケーブル押え１００が取り付けられ、その第２ケーブル押え１００によってケーブルＣ３０が第１外側可動体６１Ｂ側へ向かうように固定される。そして、ケーブル誘導部１０３は、第３中継基板１０４の第１面１０４Ｍに取り付けられ、第１外側可動体６１Ｂへ向かうにつれて第１面１０４Ｍから離れるように傾斜する誘導傾斜面１０３Ｍを有しているので、ケーブルＣ３０を誘導傾斜面１０３Ｍに宛がうことで、ケーブルＣ３０を第１内側可動体６１Ａと第２外側可動体６１Ｂの間の隙間から遠ざけることが可能となる。
【００８７】
また、本実施形態の遊技機１０では、ケーブル誘導部１０３が第２ケーブル押え１００と一体に形成されることで、部品点数の減少が図られると共に、第４ケーブル固定部１０５に対するケーブル誘導部１０３の位置ズレが抑制される。また、第２ケーブル押え１００は、第３中継基板１０４の第１面１０４Ｍに重ね合わされるプレート部１０１にケーブル挿通口１０２を形成してなり、ケーブル挿通口１０２に通されたケーブルＣ３０を第１面１０４Ｍとの間に挟むように構成され、ケーブル誘導部１０３は、ケーブル挿通口１０２の開口縁のうちケーブルＣ３０を第１面１０４Ｍとの間に挟む部位と反対側に配される部位に形成される。これにより、第２ケーブル押え１００とケーブル誘導部１０３の一体化を簡易な構成で達成することができる。しかも、第２ケーブル押え１００は、ケーブルＣ３０の折り返し部分を挟むので、第２ケーブル押え１００と第１面１０４Ｍとの間にケーブルＣ３０を挟み易くなる。
【００８８】
なお、上述した作用効果は、第２可動部６２の第２内側可動体６２Ａの第３中継基板１０４に接続されるケーブルＣ３０についても適用される。
【００８９】
なお、本実施形態の別の形態として、第１内側可動体６１Ａと第１外側可動体６１Ｂの一方のみが直動可能な構成であってもよい。また、第２内側可動体６２Ａと第２外側可動体６２Ｂの一方のみが直動可能な構成であってもよい。
【００９０】
また、本実施形態の別の形態として、ケーブル誘導部１０３がケーブル押え１００と別体に設けられてもよい。その際、ケーブル誘導部１０３は、図２１に示されるように、外側対向支持壁８２Ｈに一体形成されてもよい。
【００９１】
また、本実施形態の別の形態として、ケーブルＣ３０が第４ケーブル固定部１０５の近傍で折り返されない構成であってもよい。
【００９２】
また、本実施形態の別の形態として、第２ケーブル押え１００は、ケーブル挿通口１０２を有しない構成であってもよい。
【００９３】
また、本実施形態の別の形態として、ケーブル誘導部１０３が、プレート部１０１に対して略垂直な壁で形成されて、誘導傾斜面１０３Ｍを有しない構成であってもよい。
【００９４】
また、本実施形態の別の形態として、可動ベース５１が固定ベース４１に対して移動しない構成であってもよい。
【００９５】
＜ステージ構造の詳細＞
以下、遊技機１０におけるステージ２４（図２）の構造の詳細について説明する。図１７に示されるように、ステージ２４は、略左右対称に形成され、左右方向の中央部に、上下に扁平となった中央平坦部２４Ｈを有し、中央平坦部２４Ｈの両脇に、中央平坦部２４Ｈへ向かって下るように傾斜した左側傾斜部２４Ａと右側傾斜部２４Ｂとを有している。そして、図１８に示されるように、ステージ２４は、ワープ路２４Ｒを流下してきた遊技球を受け入れて中央平坦部２４Ｈと左側傾斜部２４Ａと右側傾斜部２４Ｂとに亘って転動させることが可能なステージ流路１１０を有している。
【００９６】
図１９（Ａ），１９（Ｂ）に示されるように、ステージ流路１１０は、左右方向に延びる床壁１１２と、床壁１１２の後端部から起立した後側起立壁１１３と、後側起立壁１１３の上端部から前側に迫り出した天井壁１１４と、床壁１１２の前端部から起立した前側起立壁１１５と、に囲まれた部分に形成されている。床壁１１２と天井壁１１４との間には、遊技球が１個だけ通過可能な隙間が形成されている。また、床壁１１２の前後方向の長さ、即ち、奥行の長さは、遊技球が１個だけ通過可能な長さとなっている。そして、ステージ流路１１０は、遊技球が１つずつ通過可能な大きさに形成されている。
【００９７】
詳細には、天井壁１１４の奥行は床壁１１２の奥行よりも長くなっていて、天井壁１１４は床壁１１２よりも前側に迫り出している。また、前側起立壁１１５は、後側起立壁１１３よりも低くなっていて、天井壁１１４との間に隙間を有している。前側起立壁１１５と天井壁１１４との間の隙間の大きさは、遊技球１個分よりも小さくなっている。なお、図１７，１８に示されるように、前側起立壁１１５の所定箇所には、切欠部１１５Ｋが設けられていて、ステージ流路１１０を転動する遊技球は、切欠部１１５Ｋを通って前側に落下可能となっている。
【００９８】
図１７，１８に示されるように、ステージ２４の中央平坦部２４Ｈにおける左右方向の中央には、床壁１１２より下側で前後方向に延びる床下通路１１６が形成されている。この床下通路１１６は、第１の始動入賞口１４Ａの真上に配置されている（図２参照）。また、後側起立壁１１３のうち床下通路１１６の真上に配置される部分には、ステージ流路１１０を転動してきた遊技球を受け入れ可能な球受入口１１３Ａが形成されている。また、後側起立壁１１３の後側には、床下通路１１６の後端と球受入口１１３Ａとに連絡する連絡樋１１７が備えられている。そして、ステージ流路１１０を転動する遊技球が球受入口１１３Ａに入球すると、連絡樋１１７を通って床下通路１１６から排出される。なお、連絡樋１１７は、断面半円状に形成されていて、上下方向に延在すると共に前側に開放している。また、床壁１１２の後端部には、連絡樋１１７とによって円形孔を形成する半円状の切欠部１１２Ｋが設けられている。
【００９９】
図１８に示されるように、ステージ２４は、ワープ路２４Ｒより後側に配置されていて、左側傾斜部２４Ａの左端部がワープ路２４Ｒに後側から重ねられている。具体的には、図１７に示されるように、ワープ路２４Ｒは、右下がりに傾斜した上流側傾斜部１２１と、上流側傾斜部１２１の下端部から略鉛直下方に延びる鉛直流下部１２２と、鉛直流下部１２２の下端部から右下がりに傾斜するように延びる下流側傾斜部１２３と、からなる。上流側傾斜部１２１の上端部には、遊技領域Ｒ１（図２参照）を流下する遊技球を受け入れ可能な受入口１２１Ａが形成されている。また、下流側傾斜部１２３の下端部には、後側に開放した後側開口１２３Ａが設けられている。そして、下流側傾斜部１２３の下端部にステージ２４の左側傾斜部２４Ａが後側から重ねられ、下流側傾斜部１２３の後側開口１２３Ａにステージ流路１１０が連絡する。受入口１２１Ａに受け入れられてワープ路２４Ｒを流下する遊技球は、後側開口１２３Ａを通ってステージ流路１１０に受け入れられる。なお、ワープ路２４Ｒの断面積は、遊技球が１個だけ通過可能な大きさとなっている。
【０１００】
図１８に示されるように、ワープ路２４Ｒとステージ流路１１０の連絡部分には、右側へ向かって延びる第１流下部１２５Ａと、第１流下部１２５Ａの右端部から後側へ延びる第２流下部１２５Ｂと、第２流下部１２５Ｂの後端部から右側へ延びる第３流下部１２５Ｃと、からなるクランク構造部１２５が形成されている。なお、第１流下部１２５Ａと第２流下部１２５Ｂの一部は、ワープ路２４Ｒの下流側傾斜部１２３によって構成され、第２流下部１２５Ｂの残りの部分と第３流下部１２５Ｃは、ステージ２４の左側傾斜部２４Ａに形成されたステージ流路１１０によって構成され、第２流下部１２５Ｂの途中に下流側傾斜部１２３の後側開口１２３Ａが配置される。
【０１０１】
図１８に示されるように、本実施形態の遊技機１０では、ステージ２４の後側に、サイド可動部材１６１が配置される。詳細には、サイド可動部材１６１は、可動役物ユニット４０と遊技盤１１との間を遊技盤１１の前面に沿って移動可能であって、表示装飾枠２３の両側部の後側に配置される待機位置と、表示装飾枠２３の内側に突出する出現位置と、に配置される。サイド可動部材１６１は、出現位置又は可動ストロークの途中位置に配置されたときにステージ２４に後側から対向する（なお、図１８には、出現位置に配置されたサイド可動部材１６１が二点鎖線にて示されている。）。そして、ステージ２４においては、サイド可動部材１６１との干渉を避けるために、後側起立壁１１３の一部が前側に迫り出している。具体的には、後側起立壁１１３は、左側傾斜部２４Ａの全体と右側傾斜部２４Ｂの右側部分において、前側に迫り出している。なお、サイド可動部材１６１は、遊技盤１１の前面に沿って直動してもよいし、回動してもよい。
【０１０２】
ところで、後側起立壁１１３が前側に迫り出すと、その迫り出し部分においては、ステージ流路１１０の幅が狭くなり、遊技球をスムーズに流下させることが困難になるという問題が生じ得る。このような問題を解決すべく、本実施形態の遊技機１０では、後側起立壁１１３における迫り出し部分に、ステージ流路１１０を流下する遊技球の一部分を受け入れ可能な球受容部１３０が形成されている。なお、別の見方をすれば、球受容部１３０は、ステージ流路１１０の流路断面積を広げる拡張部であるとも言える。
【０１０３】
図１７〜１９に示されるように、球受容部１３０は、後側起立壁１１３を貫通する長孔１３１によって構成されている。長孔１３１は、ステージ流路１１０に沿って延在し、長孔１３１の幅は、遊技球１個分より狭くなっている。また、後側起立壁１１３における長孔１３１の開口縁には、長孔１３１へ近づくにつれて後側（即ち、長孔１３１の深さ方向の奥側）へ向かうように傾斜する傾斜案内部１３２が形成されている。傾斜案内部１３２は、長孔１３１の開口縁の全体に形成されていて、傾斜案内部１３２のうち長孔１３１に対してステージ流路１１０の上流側に配置される部分は、ステージ流路１１０の下流側へ向かうに従って後側へと向かう上流側傾斜案内部１３２Ａとなっている。また、傾斜案内部１３２のうち長孔１３１に対してステージ流路１１０の下流側に配置される部分は、ステージ流路１１０の下流側へ向かうに従って前側へと向かう下流側傾斜案内部１３２Ｂとなっている。
【０１０４】
ステージ２４の構造の詳細についての説明は以上である。このように、本実施形態の遊技機１０では、ステージ流路１１０を構成する後側起立壁１１３に、ステージ流路１１０を流下する遊技球の一部分を受容可能な球受容部１３０が設けられているので、ステージ流路１１０の幅が十分に取れない場合であっても、遊技球をスムーズに流下させることが可能となる。また、後側起立壁１１３は、サイド可動部材１６１に対向するので、サイド可動部材１６１との干渉を避けたり、サイド可動部材１６１のスムーズな移動を図るべく、サイド可動部材１６１と後側起立壁１１３との間の間隔を広く取ることが可能となる。
【０１０５】
また、本実施形態の遊技機１０では、球受容部１３０が後側起立壁１３１を貫通する長孔１３１によって構成されるので、球受容部１３０が後側起立壁１１３の一部を陥没させてなる凹部によって構成される場合と比較して、後側起立壁１１３の薄型化が図られ、後側起立壁１１３と第２可動部６２の間の間隔を広く取りやすくなる。しかも、長孔１３１の開口縁のうちステージ流路１１０の上流側の端部に上流側傾斜案内部１３２Ａが設けられることで、長孔１３１に遊技球を受容させ易くなる。また、長孔１３１の開口縁のうちステージ流路１１０の下流側の端部に下流側傾斜案内部１３２Ｂが設けられることで、長孔１３１に受容された遊技球の勢いが長孔１３１の開口縁との衝突によって低減されることが抑制される。
【０１０６】
また、本実施形態の遊技機１０では、ワープ路２４Ｒとステージ流路１１０との連絡部分にクランク構造部１２５が設けられていて、クランク構造部１２５の第３流下部１２５Ｃがステージ流路１１０によって構成されている。そして、球受容部１３０が形成されている後側起立壁１１３は、ステージ流路１１０を構成する複数の壁部のうち第１流下部１２５Ａの幅方向（即ち、第２流下部１２５Ｂの延在方向）で第１流下部１２５Ａから遠い側に配される壁部となっているので、クランク構造部１２５のうち第２流下部１２５Ｂによって進路変更された遊技球を後側起立壁１１３の球受容部１３０に受容させ易くなる。
【０１０７】
なお、本実施形態の別の形態として、球受容部１３０は、図２２に示されるように、後側起立壁１１３に形成されて前側に開放する凹部１３１Ａによって形成されてもよい。
【０１０８】
また、本実施形態の別の形態として、球受容部１３０は、ワープ路２４Ｒに形成されてもよい。
【０１０９】
また、本実施形態の別の形態として、球受容部１３０は、ステージ流路１１０を構成する壁部のうち床壁１１２や天井壁１１４に形成されてもよい。
【０１１０】
また、本実施形態の別の形態として、サイド可動部材１６１が遊技盤１１の前面に沿って移動しない構成であってもよい。この場合、サイド可動部材１６１は、常に、出現位置に配置されればよい。
【０１１１】
［他の実施形態］
本発明は、上記実施形態に限定されるものではなく、例えば、以下に説明するような実施形態も本発明の技術的範囲に含まれ、さらに、下記以外にも要旨を逸脱しない範囲内で種々変更して実施することができる。
【０１１２】
（１）上記実施形態では、本発明をパチンコ遊技機に適用した例を示したが、スロットマシンやアレンジボールに適用してもよい。
【０１１３】
（２）上記実施形態では、可動ベース５１が固定ベース４１に対して回転する構成であったが、固定ベース４１に対して直動する構成であってもよい。この場合、第１可動部６１と第２可動部６２の移動方向は、可動ベース５１の移動方向と異なることが好ましい。
【０１１４】
（３）上記実施形態では、第１可動部６１と第２可動部６２の各可動体６１Ａ，６１Ｂ，６２Ａ，６２Ｂは、表示画面１３Ｇに沿って直動する構成であったが、表示画面１３Ｇに沿って回動する構成であってもよい。
【０１１５】
（４）上記実施形態において、ケーブルＣ１０，Ｃ３０は、可撓性を有すればよく、線状のケーブルであってもよい。
【０１１６】
（５）上記実施形態において、第１可動部６１と第２可動部６２の各可動体６１Ａ，６１Ｂ，６２Ａ，６２Ｂが回転体８１を備えない構成であってもよい。
【０１１７】
（６）上記実施形態において、固定ベース４１が機構枠１７に対して移動する構成であってもよい。
【０１１８】
［付記］
以下、上述した各実施の形態から抽出される発明群の特徴について、必要に応じて効果等を示しつつ説明する。なお、以下では、理解の容易のため、上記実施形態において対応する構成を括弧書き等で適宜示すが、この括弧書き等で示した具体的構成に限定されるものではない。
【０１１９】
＜特徴Ａ群＞
以下の特徴Ａ群は、「支持ベースに対して移動する可動ベースを備えた」遊技機に関し、「特許文献Ａ（特開２０１６−１０４１８７号）の遊技機では、支持ベースと可動ベースに取り付けられた基板同士がケーブルで接続される。」という背景技術について、「特許文献Ａの遊技機では、ケーブルが可動ベースに擦れて損傷するという問題があった。」という課題をもってなされたものである。
【０１２０】
（特徴Ａ１）
支持ベース（固定ベース４１）と、
前記支持ベースに対して移動する可動ベース（可動ベース５１）と、
前記支持ベースと前記可動ベースとに固定される部材（第１中継基板４４と第２中継基板７４）同士を電気的に接続するケーブル（ケーブルＣ１０）と、を有する遊技機（遊技機１０）であって、
前記ケーブルは、帯状に形成されて、その厚み方向が前記可動ベースと対向するように配置され、
前記ケーブルには、該ケーブルと前記可動ベースの接触を抑制するカバー部材（カバーシートＣ２０）が重ねられている遊技機。
【０１２１】
本特徴に示す構成によれば、ケーブルと可動ベースの接触が抑制されるので、ケーブルの損傷を抑制可能となる。
【０１２２】
（特徴Ａ２）
特徴Ａ１に記載の遊技機において、
前記カバー部材は、前記ケーブルの一部に重ねられている遊技機。
【０１２３】
本特徴に示す構成によれば、ケーブルのうち可動ベースと接触する可能性がある部分にカバー部材を重ねつつ、カバー部材の使用量を少なくすることが可能となる。
【０１２４】
（特徴Ａ３）
特徴Ａ１又はＡ２に記載の遊技機において、
前記カバー部材は、前記ケーブルよりも幅広に形成されている遊技機。
【０１２５】
本特徴に示す構成によれば、カバー部材からのケーブルのはみ出しを抑制可能となる。
【０１２６】
（特徴Ａ４）
特徴Ａ３に記載の遊技機において、
前記ケーブルとして、第１のケーブル（第１ケーブルＣ１０Ａ）と、前記第１のケーブルよりも幅狭な第２のケーブル（第２ケーブルＣ１０Ｂ）と、を備え、
前記カバー部材は、前記第１のケーブルよりも幅広に形成されて、前記第１のケーブルとの間に前記第２のケーブルを挟む遊技機。
【０１２７】
本特徴に示す構成によれば、１つのカバー部材で２本のケーブルの可動ベースとの接触を抑制することが可能となる。
【０１２８】
（特徴Ａ５）
特徴Ａ１乃至Ａ４のうち何れか１に記載の遊技機において、
前記カバー部材は、可撓性を有するカバーシート（カバーシートＣ２０）である遊技機。
【０１２９】
本特徴に示す構成によれば、カバーシートをケーブルに沿わせ易くなる。
【０１３０】
（特徴Ａ６）
特徴Ａ５に記載の遊技機において、
前記可動ベースには、前記可動ベースの移動方向の一方側を向くように前記ケーブル及び前記カバーシートを固定する可動ベース側固定部（第２ケーブル固定部７７）が設けられ、
前記支持ベースには、前記可動ベースの移動方向の一方側を向くように前記ケーブル及び前記カバーシートを固定する支持ベース側固定部（第１ケーブル固定部４８）が設けられている遊技機。
【０１３１】
本特徴に示す構成によれば、ケーブル及びカバーシートの撓み方向が一方向に固定され易くなり、可動ベースとケーブルとの間にカバーシートを沿わせ易くなる。
【０１３２】
（特徴Ａ７）
特徴Ａ６に記載の遊技機において、
前記可動ベースは、前記可動ベースの移動方向に延在して前記ケーブルに対向配置される対向側面（直動駆動機構７０の支持盤７５における対向側壁７５Ｂの外面）を有し、
前記可動ベース側固定部は、前記ケーブル及び前記カバーシートを前記対向側面と重なるように固定する遊技機。
【０１３３】
本特徴に示す構成によれば、可動ベースの移動に伴ってケーブル及びカバーシートを可動ベースの対向側面に沿って配置することが可能となり、ケーブル及びカバーシートが可動ベースの移動の妨げとなることが抑制される。
【０１３４】
（特徴Ａ８）
特徴Ａ６又はＡ７に記載の遊技機において、
前記カバーシートの両端部が前記可動ベース側固定部と前記支持ベース側固定部に固定されている遊技機。
【０１３５】
本特徴に示す構成によれば、ケーブルのうち可動ベースと接触する可能性がある部分にカバーシートを重ねることが可能となる。
【０１３６】
（特徴Ａ９）
特徴Ａ６乃至Ａ８のうち何れか１に記載の遊技機において、
前記カバーシートは、前記可動ベース側固定部と前記支持ベース側固定部に挟まれる区間の中間部で前記ケーブルに固定されている遊技機。
【０１３７】
本特徴に示す構成によれば、カバーシートとケーブルが離れることを抑制可能となる。
【０１３８】
（特徴Ａ１０）
特徴Ａ６乃至Ａ９のうち何れか１に記載の遊技機において、
前記可動ベースは、通常は、第１位置（図６（Ａ）、１２（Ａ）に示される第１回転位置）に配置されて、第２位置（図６（Ｂ）、１３に示される第２回転位置）へと移動可能に構成され、
前記可動ベース側固定部及び前記支持ベース側固定部は、前記第２位置側を向くように前記ケーブル及び前記カバーシートを固定し、
前記可動ベースが前記第１位置に配置されたときに、前記ケーブル及び前記カバーシートの撓み量が最小となる遊技機。
【０１３９】
本特徴に示す構成によれば、通常の状態で、ケーブルとカバーシートの撓み量が最小となるので、ケーブル及びカバーシートに撓み癖がつくことを抑制可能となる。
【０１４０】
（特徴Ａ１１）
特徴Ａ１０に記載の遊技機において、
前記可動ベースが前記第１位置と前記第２位置の間の中間位置（図１２（Ｂ）に示される可動ベース５１の位置）に配置されたときに、前記支持ベース側固定部と前記可動ベース側固定部とが最も接近する遊技機。
【０１４１】
本特徴に示す構成では、ケーブル及びカバーシートを短くすることが可能となる。
【０１４２】
（特徴Ａ１２）
特徴Ａ６乃至Ａ１１のうち何れか１に記載の遊技機において、
前記可動ベースは、遊技盤（遊技盤１１）の前面に沿って回動可能に構成され、
前記支持ベース側固定部は、前記可動ベースの回動半径方向で前記可動ベース側固定部より外側に配置されている遊技機。
【０１４３】
可動ベースは、直動可能に構成されてもよいし、本特徴に示す構成のように、回動可能に構成されてもよい。
【０１４４】
（特徴Ａ１３）
支持ベース（固定ベース４１）と、
前記支持ベースに対して移動する可動ベース（可動ベース５１）と、
前記支持ベースと前記可動ベースとに固定される部材（第１中継基板４４と第２中継基板７４）同士を電気的に接続するケーブル（ケーブルＣ１０）と、を有する遊技機（遊技機１０）であって、
前記ケーブルは、帯状に形成されて、その厚み方向が前記可動ベースと対向するように配置され、
前記ケーブルと前記可動ベースとの間に挟まれるカバー部材（カバーシートＣ２０）を有する遊技機。
【０１４５】
本特徴に示す構成によれば、ケーブルと可動ベースとの接触が抑制されるので、ケーブルの損傷を抑制可能となる。
【０１４６】
（特徴Ａ１４）
支持ベース（固定ベース４１）と、
前記支持ベースに対して移動する可動ベース（可動ベース５１）と、
前記支持ベースと前記可動ベースとに固定される部材（第１中継基板４４と第２中継基板７４）同士を電気的に接続するケーブル（ケーブルＣ１０）と、を有する遊技機（遊技機１０）であって、
前記ケーブルは、帯状に形成されて、その厚み方向が前記可動ベースと対向するように配置され、
前記可動ベースと前記ケーブルの接触を抑制する接触防止手段（カバーシートＣ２０）を、さらに有する遊技機。
【０１４７】
本特徴に示す構成によれば、ケーブルと可動ベースの接触が抑制されるので、ケーブルの損傷を抑制可能となる。
【０１４８】
（特徴Ａ１５）
支持ベース（固定ベース４１）と、
前記支持ベースに対して移動する可動ベース（可動ベース５１）と、
前記支持ベースと前記可動ベースとに固定される部材（第１中継基板４４と第２中継基板７４）同士を電気的に接続するケーブル（ケーブルＣ１０）と、を有する遊技機（遊技機１０）であって、
前記ケーブルには、該ケーブルと前記可動ベースの接触を抑制するカバー部材（カバーシートＣ２０）が重ねられている遊技機。
【０１４９】
本特徴に示す構成によれば、ケーブルと可動ベースの接触が抑制されるので、ケーブルの損傷を抑制可能となる。
【０１５０】
支持ベース（固定ベース４１）と、
前記支持ベースに対して移動する可動ベース（可動ベース５１）と、
前記支持ベースと前記可動ベースとに固定される部材（第１中継基板４４と第２中継基板７４）同士を電気的に接続するケーブル（ケーブルＣ１０）と、を有する遊技機（遊技機１０）であって、
前記ケーブルと前記可動ベースとの間に挟まれるカバー部材（カバーシートＣ２０）を有する遊技機。
【０１５１】
本特徴に示す構成によれば、ケーブルと可動ベースの接触が抑制されるので、ケーブルの損傷を抑制可能となる。
【０１５２】
なお、特徴Ａ１３〜特徴Ａ１６に示す構成に、特徴Ａ２〜Ａ１２に示す構成が組み合わされてもよい。
【０１５３】
＜特徴Ｂ群＞
以下の特徴Ｂ群は、遊技機に関し、「特許文献Ｂ（特開２０１６−０２６８２３号）の遊技機では、遊技球が流下可能な球流下路を有する（同文献の段落［００３６］、図１）。」という背景技術について、「特許文献Ｂの遊技機では、球流下路の幅が十分に取れない場合、遊技球をスムーズに流下させることが困難であった。」という課題をもってなされたものである。
【０１５４】
（特徴Ｂ１）
遊技球が流下可能な球流下路（ワープ路２４Ｒ及びステージ流路１１０）を有する遊技機（遊技機１０）であって、
前記球流下路を構成する流下路構成壁（床壁１１２、後側起立壁１１３、天井壁１１４及び前側起立壁１１５）には、前記球流下路を流下する遊技球の一部分を受容可能な球受容部（球受容部１３０）が設けられている遊技機。
【０１５５】
本特徴に示す構成によれば、球流下路の幅が十分に取れない場合であっても、球受容部に遊技球の一部分を受容させて、遊技球をスムーズに流下させることが可能となる。
【０１５６】
（特徴Ｂ２）
特徴Ｂ１に記載の遊技機において、
前記球流下路に近接配置される近接部材（サイド可動部材１６１）を有し、
前記流下路構成壁には、遊技球の流下方向に延在し、且つ、前記近接部材と対向する対向構成壁（後側起立壁１１３）が備えられ、
前記球受容部は、前記対向構成壁に形成されている遊技機。
【０１５７】
本特徴に示す構成によれば、近接部材との干渉を避けるために、球流下路の幅を十分に取れない場合であっても、遊技球をスムーズに流下させることが可能となる。
【０１５８】
（特徴Ｂ３）
特徴Ｂ２に記載の遊技機において、
前記球受容部は、前記対向構成壁を貫通する長孔（長孔１３１）で構成されている遊技機。
【０１５９】
本特徴に示す構成では、球受容部が対向構成壁の一部を陥没させてなる凹部で構成されている場合よりも、対向構成壁を薄くすることが可能となる。
【０１６０】
（特徴Ｂ４）
特徴Ｂ３に記載の遊技機において、
前記長孔の開口縁のうち遊技球の流下方向の上流側の端部には、下流側へ向かうにつれて前記長孔の深さ方向で深い側へと向かう上流側傾斜案内部（上流側傾斜案内部１３２Ａ）が設けられている遊技機。
【０１６１】
本特徴に示す構成によれば、長孔に遊技球を受容させ易くなる。
【０１６２】
（特徴Ｂ５）
特徴Ｂ３又はＢ４に記載の遊技機において、
前記長孔の開口縁のうち遊技球の流下方向の下流側の端部には、下流側へ向かうにつれて前記長孔の深さ方向で浅い側へと向かう下流側傾斜案内部（下流側傾斜案内部１３２Ｂ）が設けられている遊技機。
【０１６３】
本特徴に示す構成によれば、長孔に受容された遊技球の勢いが長孔の下流側の開口縁との衝突によって低減されることが抑制される。
【０１６４】
（特徴Ｂ６）
特徴Ｂ２乃至Ｂ５のうち何れか１に記載の遊技機において、
前記球流下路は、遊技盤（遊技盤１１）の前面に形成された遊技領域（遊技領域Ｒ１）を流下する遊技球を受け入れる受入口（受入口１２１Ａ）を有して、前記受入口に受け入れられた遊技球を前記遊技盤の前面に沿って流下可能であって、
前記近接部材は、前記遊技盤の後側に配置されている遊技機。
【０１６５】
本特徴に示す構成によれば、遊技領域を流下してきた遊技球を受入口で受け入れて球流下路に流下させることが可能となる。
【０１６６】
（特徴Ｂ７）
特徴Ｂ６に記載の遊技機において、
前記遊技盤には、前記遊技盤の後側に配置される表示部（表示画面１３Ｇ）を視認可能とする開口部（表示開口１１Ｈ）が設けられると共に、
前記開口部には、前記開口部の内側に遊技球が進入することを規制する進入規制枠（表示装飾枠２３）が嵌合され、
前記球流下路は、前記進入規制枠に設けられ、
前記近接部材は、前記遊技盤と前記表示部との間に配置されている遊技機。
【０１６７】
本特徴に示す構成によれば、遊技盤と表示部との間に近接部材を配置しつつ、球流下路を通る遊技球をスムーズに流下させることが可能となる。
【０１６８】
（特徴Ｂ８）
特徴Ｂ６又はＢ７に記載の遊技機において、
前記近接部材は、前記遊技盤の前面に沿って移動可能に構成されている遊技機。
【０１６９】
本特徴に示す構成によれば、近接部材の移動に伴って生じ得る近接部材と流下路構成壁（対向構成壁）との干渉を避けるためのスペースを確保しつつ、遊技球をスムーズに流下させることが可能となる。
【０１７０】
（特徴Ｂ９）
特徴Ｂ２乃至Ｂ８のうち何れか１に記載の遊技機において、
前記球流下路は、第１流下部（第１流下部１２５Ａ）と、前記第１流下部の下流端に連絡して前記第１流下部の幅方向に延びる第２流下部（第２流下部１２５Ｂ）と、前記第２流下部の下流端に連絡して前記第１流下部と略平行に延びる第３流下部（第３流下部１２５Ｃ）と、からなるクランク構造部（クランク構造部１２５）を有し、
前記対向構成壁は、前記第３流下部を構成する前記流下路構成壁のうち前記第１流下部の幅方向で前記第１流下部から離れた側に配される壁部によって構成されている遊技機。
【０１７１】
本特徴に示す構成によれば、クランク構造部の第３流下部を構成する流下路構成壁のうち第２流下部によって進路変更された遊技球が当接し易い壁部に球受容部が形成されるので、球受容部に遊技球を受容させ易くなる。
【０１７２】
（特徴Ｂ１０）
遊技球が流下可能な球流下路（ワープ路２４Ｒ及びステージ流路１１０）を有する遊技機（遊技機１０）であって、
前記球流下路を構成する流下路構成壁（床壁１１２、後側起立壁１１３、天井壁１１４及び前側起立壁１１５）には、前記球流下路の断面積を広げる拡張部（球受容部１３０）が設けられている遊技機。
【０１７３】
本特徴に示す構成によれば、球流下路の幅が十分に取れない場合であっても、拡張部に遊技球を受容させて、遊技球をスムーズに流下させることが可能となる。
【０１７４】
（特徴Ｂ１１）
遊技球が流下可能な球流下路（ワープ路２４Ｒ及びステージ流路１１０）を有する遊技機（遊技機１０）であって、
前記球流下路の断面積を広げる拡張部（球受容部１３０）が設けられている遊技機。
【０１７５】
本特徴に示す構成によれば、球流下路の幅が十分に取れない場合であっても、拡張部に遊技球を受容させて、遊技球をスムーズに流下させることが可能となる。
【０１７６】
なお、特徴Ｂ１０〜Ｂ１１に示す構成に、特徴Ｂ２〜Ｂ９に示す構成が組み合わされてもよい。
【０１７７】
＜特徴Ｃ群＞
以下の特徴Ｃ群は、遊技機に関し、「特許文献Ｃ（特開２００７−２５２５３３号）の遊技機では、表示画面を遮蔽するための２つの部材が分離状態と合体状態に変化する。」という背景技術について、「特許文献Ｃの遊技機では、２つの部材の何れか一方にケーブルが接続されていると、そのケーブルが２つの部材の間に挟まれて損傷するという問題が生じ得た。」という課題をもってなされたものである。
【０１７８】
（特徴Ｃ１）
第１部材（第１内側可動体６１Ａ）と第２部材（第１外側可動体６１Ｂ）とが間隔をあけて配置される離間状態と、前記離間状態よりも前記第１部材と前記第２部材の間隔が狭まった近接状態とに変化する遊技機（遊技機１０）であって、
前記第１部材には、ケーブル（ケーブルＣ３０）が接続されていて、
前記ケーブルを前記第１部材と前記第２部材との間の隙間から遠ざける方向に向かわせるケーブル誘導部（ケーブル誘導部１０３）をさらに有する遊技機。
【０１７９】
本特徴に示す構成によれば、ケーブルが第１部材と第２部材の間に挟まれることが抑えられるので、ケーブルの損傷を抑制可能となる。
【０１８０】
（特徴Ｃ２）
特徴Ｃ１に記載の遊技機において、
前記第１部材は、遊技者に視認可能であって、遊技盤（遊技盤１１）の前面に沿って移動可能に構成されている遊技機。
【０１８１】
（特徴Ｃ３）
特徴Ｃ１又はＣ２に記載の遊技機において、
前記第２部材は、遊技者に視認可能であって、遊技盤の前面に沿って移動可能に構成されている遊技機。
【０１８２】
第１部材と第２部材は、一方が遊技者に視認可能であって、遊技盤の前面に沿って移動可能に構成されてもよいし（特徴Ｃ２、Ｃ３）、両方が遊技者に視認可能であって、遊技盤の前面に沿って移動可能に構成されてもよい。
【０１８３】
（特徴Ｃ４）
特徴Ｃ２又はＣ３に記載の遊技機において、
前記ケーブルは、帯状に形成されて、その幅方向が前記遊技盤の厚み方向に沿うように配置されている遊技機。
【０１８４】
本特徴に示す構成によれば、ケーブルの表裏が遊技者に視認困難となるので、ケーブルを目立たなくすることが可能となる。
【０１８５】
（特徴Ｃ５）
特徴Ｃ２乃至Ｃ４のうち何れか１に記載の遊技機において、
前記第１部材には、前記第１部材又は前記第２部材の移動方向に延在し且つ遊技者に視認困難な面であって、前記ケーブルを前記第２部材側へ向かうように固定するケーブル押え（第２ケーブル押え１００）が取り付けられる取付面（第３中継基板１０４の第１面１０４Ｍ）が設けられていて、
前記ケーブル誘導部は、前記取付面に取り付けられると共に、前記第２部材側へ向かうにつれて前記取付面から離れるように傾斜する誘導傾斜面（誘導傾斜面１０３Ｍ）を有している遊技機。
【０１８６】
本特徴に示す構成によれば、誘導傾斜面にケーブルを宛がうことで、ケーブルを第１部材と第２部材の間の隙間から遠ざけることが可能となる。
【０１８７】
（特徴Ｃ６）
特徴Ｃ５に記載の遊技機において、
前記ケーブル誘導部は、前記ケーブル押えと一体に形成されている遊技機。
【０１８８】
本特徴に示す構成によれば、部品点数の減少が図られる。
【０１８９】
（特徴Ｃ７）
特徴Ｃ６に記載の遊技機において、
前記ケーブル押えは、前記取付面に重ね合わされるプレート（プレート部１０１）にケーブル挿通口（ケーブル挿通口１０２）を形成してなり、前記ケーブル挿通口に通された前記ケーブルを該ケーブル挿通口の開口縁と前記取付面との間に挟むことで前記ケーブルを固定し、
前記ケーブル誘導部は、前記ケーブル挿通口の開口縁のうち前記取付面との間に前記ケーブルを挟む部位と反対側に配される部位に形成されている遊技機。
【０１９０】
本特徴に示す構成によれば、ケーブル押えとケーブル誘導部の一体化を簡易な構成で達成可能となる。
【０１９１】
（特徴Ｃ８）
特徴Ｃ７に記載の遊技機において、
前記ケーブルは、前記第１部材から前記第２部材と反対側に延びた後、前記第２部材側に折り返されていて、
前記ケーブル押えは、前記ケーブルの折り返し部分を前記取付面との間に挟む遊技機。
【０１９２】
本特徴に示す構成によれば、ケーブル押えと取付面との間にケーブルを固定し易くなる。
【０１９３】
（特徴Ｃ９）
特徴Ｃ５乃至Ｃ８のうち何れか１に記載の遊技機において、
前記取付面と対向するように配置されて、前記第１部材又は前記第２部材を移動可能に支持するベース部材（可動ベース５１の直動駆動機構７０）を有すると共に、
前記ケーブルの前記第１部材と反対側の端部は、前記ベース部材に取り付けられた電気部品（第２中継基板７４）に接続され、
前記ベース部材には、前記電気部品から前記第１部材側へ延びる前記ケーブルを前記取付面から離れる方向に向かわせて固定する固定手段（第３ケーブル固定部７８）が備えられている遊技機。
【０１９４】
本特徴に示す構成によれば、ケーブルを取付面から遠ざけやすくなり、ケーブルの損傷を抑制可能となる。
【０１９５】
（特徴Ｃ１０）
分離状態と合体状態に変化する第１部材（第１内側可動体６１Ａ）及び第２部材（第１外側可動体６１Ｂ）を有する遊技機（遊技機１０）であって、
前記第１部材には、前記第２部材側へ延びるケーブル（ケーブルＣ３０）が接続されていて、
前記ケーブルが前記第１部材と前記第２部材の間の隙間に近づくことを抑制可能なケーブル接近抑制手段（ケーブル誘導部１０３）を有する遊技機。
【０１９６】
本特徴に示す構成によれば、ケーブルが第１部材と第２部材の間に挟まれることが抑えられるので、ケーブルの損傷を抑制可能となる。
【０１９７】
（特徴Ｃ１１）
第１部材（第１内側可動体６１Ａ）と、
前記第１部材に対して相対的に接近、離間する第２部材（第１外側可動体６１Ｂ）と、を有する遊技機（遊技機１０）であって、
前記第１部材に接続されるケーブル（ケーブルＣ３０）が前記第１部材と前記第２部材との間に挟まれることを抑制可能なケーブル挟まれ抑制手段（ケーブル誘導部１０３）を有する遊技機。
【０１９８】
本特徴に示す構成によれば、ケーブルが第１部材と第２部材の間に挟まれることが抑えられるので、ケーブルの損傷を抑制可能となる。
【０１９９】
なお、特徴Ｃ１０〜Ｃ１１に示す構成に、特徴Ｃ２〜Ｃ９に示す構成が組み合わされてもよい。
【符号の説明】
【０２００】
１０    遊技機
４１    固定ベース
４４    第１中継基板
４８    第１ケーブル固定部
５１    可動ベース
７４    第２中継基板
７５Ｂ    起立側壁
７７    第２ケーブル固定部
Ｃ１０    ケーブル
Ｃ２０    カバーシート
【図１】
2018201974.tif 000003
【図２】
2018201974.tif 000004
【図３】
2018201974.tif 000005
【図４】
2018201974.tif 000006
【図５】
2018201974.tif 000007
【図６】
2018201974.tif 000008
【図７】
2018201974.tif 000009
【図８】
2018201974.tif 000010
【図９】
2018201974.tif 000011
【図１０】
2018201974.tif 000012
【図１１】
2018201974.tif 000013
【図１２】
2018201974.tif 000014
【図１３】
2018201974.tif 000015
【図１４】
2018201974.tif 000016
【図１５】
2018201974.tif 000017
【図１６】
2018201974.tif 000018
【図１７】
2018201974.tif 000019
【図１８】
2018201974.tif 000020
【図１９】
2018201974.tif 000021
【図２０】
2018201974.tif 000022
【図２１】
2018201974.tif 000023
【図２２】
2018201974.tif 000024